(57)【要約】【課題】様々な間取りに応じつつも手間を抑えて建築することができる木造家屋、及び木造家屋建築方法を提供する。【解決手段】木造家屋が、軽量Ｈ形鋼で形成され、９１０ｍｍ〜１０００ｍｍの範囲における任意の長さを基準長としたとき、当該基準長の１から７までの整数倍の長さそれぞれに応じた長さを有する７種類の長梁０．５ＫＬ，・・・，３．５ＫＬの中から選択された第１の梁材と、７種類の長梁０．５ＫＬ，・・・，３．５ＫＬそれぞれの長さよりも所定長だけ短い７種類の短梁０．５ＫＳ，・・・，３．５ＫＳの中から選択された第２の梁材と、を備える。【選択図】図２
2019138049.tif 000002
【特許請求の範囲】
【請求項１】
軽量Ｈ形鋼で形成され、９１０ｍｍ〜１０００ｍｍの範囲における任意の長さを基準長としたとき、当該基準長の１から７までの整数倍の長さそれぞれに応じた長さを有する７種類の長梁の中から選択された第１の梁材と、
前記７種類の長梁それぞれの長さよりも所定長だけ短い７種類の短梁の中から選択された第２の梁材と、
を備えることを特徴とする木造家屋。
【請求項２】
前記７種類の長梁それぞれが、前記基準長の１から７までの整数倍の長さそれぞれよりも、前記軽量Ｈ形鋼のウェブの厚みに応じた長さだけ短いことを特徴とする請求項１に記載の木造家屋。
【請求項３】
前記７種類の短梁それぞれが、前記７種類の長梁それぞれの長さよりも通柱の太さに応じた長さだけ短いことを特徴とする請求項１又は２に記載の木造家屋。
【請求項４】
前記第１の梁材及び前記第２の梁材のうち少なくとも一方を含み、外壁に沿って配置される構造に、前記外壁の下地材として前記構造を覆って延在するように構造用合板が固定されていることを特徴とする請求項１〜３のうち何れか一項に記載の木造家屋。
【請求項５】
各階に窓が設けられた複数階建ての家屋であって、
前記構造用合板が、前記各階における床下から前記窓の下端まで、及び、当該窓の上端から上階における床下若しくは当該上階における前記窓の下端まで、を少なくとも覆うことを特徴とする請求項４に記載の木造家屋。
【請求項６】
前記構造用合板が、石こうボードを内蔵したものであることを特徴とする請求項４又は５に記載の木造家屋。
【請求項７】
３階建て以上の複数階建ての家屋であって、
２階以上に相当する長さを有する通柱を備え、
互いに異なる場所の少なくとも一対の前記通柱が、長さ方向に一部が重複して配置されていることを特徴とする請求項１〜６のうち何れか一項に記載の木造家屋。
【請求項８】
軽量Ｈ形鋼で形成され、９１０ｍｍ〜１０００ｍｍの範囲における任意の長さを基準長としたとき、当該基準長の１から７までの整数倍の長さそれぞれに応じた長さを有する７種類の長梁の中から建築対象の木造家屋の間取りに応じて第１の梁材を選択し、前記７種類の長梁それぞれの長さよりも所定長だけ短い７種類の短梁の中から前記間取りに応じて第２の梁材を選択する選択工程と、
前記選択工程で選択された前記第１の梁材及び前記第２の梁材を用いて木造家屋を組み立てる組立て工程と、
を備えることを特徴とする木造家屋建築方法。
【発明の詳細な説明】
【技術分野】
【０００１】
本発明は、木造家屋、及び木造家屋建築方法に関する。
【背景技術】
【０００２】
従来、木造家屋の建築は、木製の梁や柱等を家屋の間取りに応じて加工して組み立てるといった手間のかかる作業を要するためコストもかさみ勝ちである。このようなコストを抑えるため、例えば工場で事前に加工した部材で構成され、建築現場での作業の手間が省かれた木造家屋が提案されている（例えば、特許文献１参照。）。
【先行技術文献】
【特許文献】
【０００３】
【特許文献１】特開２００５−１２７０４５
【発明の概要】
【発明が解決しようとする課題】
【０００４】
しかしながら、事前に加工する部材の多くは、顧客が所望する間取りに応じてプレカットするオーダ品であり、また、木造家屋の構造的な強度を左右する部材であることから、そのような部材の加工自体に手間がかかるのが現状である。
【０００５】
従って、本発明は、上記のような課題に着目し、様々な間取りに応じつつも手間を抑えて建築することができる木造家屋、及び木造家屋建築方法を提供することを目的としている。
【課題を解決するための手段】
【０００６】
上記課題を解決するために、本発明の木造家屋は、軽量Ｈ形鋼で形成され、９１０ｍｍ〜１０００ｍｍの範囲における任意の長さを基準長としたとき、当該基準長の１から７までの整数倍の長さそれぞれに応じた長さを有する７種類の長梁の中から選択された第１の梁材と、前記７種類の長梁それぞれの長さよりも所定長だけ短い７種類の短梁の中から選択された第２の梁材と、を備えることを特徴とする。
【０００７】
本発明の木造家屋では、一般に家屋において構造上の強度を左右する部材の一つである梁材が、軽量Ｈ形鋼という高強度の材料で形成される。そして、この梁材が、９１０ｍｍ〜１０００ｍｍの範囲における任意の長さを基準長とした７種類の長梁の中から選択された第１の梁材、及び、７種類の短梁の中から選択された第２の梁材となっている。従って、本発明の木造家屋では、特に梁材について、予め製造された７種類の長梁及び７種類の短梁それぞれの中から、所望の間取りに応じた梁材を選択するだけでよく、様々な間取りに応じつつも手間を抑えて建築することができる。
【０００８】
ここで、本発明の木造家屋において、前記７種類の長梁それぞれが、前記基準長の１から７までの整数倍の長さそれぞれよりも、前記軽量Ｈ形鋼のウェブの厚みに応じた長さだけ短いことが好適である。
【０００９】
この好適な木造家屋によれば、上記の基準長の１から７までの整数倍の長さを配列間隔として配列された他の梁材に、上記の長梁、つまりは、上記の第１の梁材を良好に組み合わせて固定することができ、これにより更に手間を抑えて建築することができる。
【００１０】
また、本発明の木造家屋において、前記７種類の短梁それぞれが、前記７種類の長梁それぞれの長さよりも通柱の太さに応じた長さだけ短いことも好適である。
【００１１】
この好適な木造家屋によれば、上記の短梁、つまりは上記の第２の梁材を、上記の長梁、つまりは上記の第１の梁材とともに良好に通柱に組み合わせて固定することができ、これにより更に手間を抑えて建築することができる。
【００１２】
また、本発明の木造家屋において、前記第１の梁材及び前記第２の梁材のうち少なくとも一方を含み、外壁に沿って配置される構造に、前記外壁の下地材として前記構造を覆って延在するように構造用合板が固定されていることも好適である。
【００１３】
この好適な木造家屋によれば、上記の構造に構造用合板が固定されることで強力な外壁強度を得ることができ、そのような外壁強度に基づいて木造家屋の高層化を図ることも可能となる。
【００１４】
また、構造用合板を用いた上記の好適な木造家屋において、各階に窓が設けられた複数階建ての家屋であって、前記構造用合板が、前記各階における床下から前記窓の下端まで、及び、当該窓の上端から上階における床下若しくは当該上階における前記窓の下端まで、を少なくとも覆うことが一層好適である。
【００１５】
この一層好適な木造家屋によれば、各階に窓を設けつつも、各階の外壁に構造用合板を用いることで強力な外壁強度を得ることができる。
【００１６】
また、構造用合板を用いた上記の好適な木造家屋において、前記構造用合板が、石こうボードを内蔵したものであることも一層好適である。
【００１７】
この一層好適な木造家屋によれば、構造用合板自体も強化されるので、一層強力な外壁強度を得ることができる。
【００１８】
また、本発明の木造家屋において、３階建て以上の複数階建ての家屋であって、２階以上に相当する長さを有する通柱を備え、互いに異なる場所の少なくとも一対の前記通柱が、長さ方向に一部が重複して配置されていることが好適である。
【００１９】
この好適な木造家屋によれば、２階以上に相当する長さを有する通柱が、長さ方向に一部が重複して配置されているので、３階建て以上の複数階建てとしつつも高い構造強度を得ることができる。
【００２０】
また、上記課題を解決するために、本発明の木造家屋建築方法は、軽量Ｈ形鋼で形成され、９１０ｍｍ〜１０００ｍｍの範囲における任意の長さを基準長としたとき、当該基準長の１から７までの整数倍の長さそれぞれに応じた長さを有する７種類の長梁の中から建築対象の木造家屋の間取りに応じて第１の梁材を選択し、前記７種類の長梁それぞれの長さよりも所定長だけ短い７種類の短梁の中から前記間取りに応じて第２の梁材を選択する選択工程と、前記選択工程で選択された前記第１の梁材及び前記第２の梁材を用いて木造家屋を組み立てる組立て工程と、を備えることを特徴とする。
【００２１】
本発明の木造家屋建築方法によれば、特に梁材について、予め製造された７種類の長梁及び７種類の短梁それぞれの中から、所望の間取りに応じた梁材を選択するだけでよく、様々な間取りに応じつつも手間を抑えて建築することができる。
【００２２】
尚、ここでは、本発明の木造家屋建築方法について基本形態のみを述べたが、上述した本発明の木造家屋に対する各種の好適な形態が、本発明の木造家屋建築方法に対しても適用可能であることは言うまでもない。
【発明の効果】
【００２３】
本発明によれば、様々な間取りに応じつつも手間を一層抑えて建築することができる木造家屋を提供することができる。
【図面の簡単な説明】
【００２４】
【図１】本発明の一実施形態にかかる木造家屋を示す模式的な断面図である。
【図２】図１に示されている第１の梁材の選択元となる７種類の長梁と、第２の梁材の選択元となる７種類の短梁と、を表形式で示すリストである。
【図３】図２に示されている長梁及び短梁の長さ決定の規準とした梁材の配置を示す模式図である。
【図４】軽量Ｈ形鋼を示す模式的な斜視図である。
【図５】通柱と梁材とを組合せるために用いる第１金具を示す図である。
【図６】図５に示されている第１金具を用いた通柱と梁材との組合せ形態示す図である。
【図７】互いにＴ字形をなすように２本の部材を組合せるために用いる第２金具を示す図である。
【図８】図７に示されている第２金具を用いた２本の梁材の組合せ形態示す図である。
【図９】２本の部材を直線状に組合せるために用いる第３金具を示す図である。
【図１０】図９に示されている第３金具を用いた２本の梁材の組合せ形態示す図である。
【図１１】梁材等のように横行配置された部材に管柱を立設したり、逆に、管柱の柱頭に梁材等の部材を横行配置したりして、互いに組合せるために用いる第４金具を示す図である。
【図１２】図１１に示されている第４金具を用いて、梁材に管柱を立設した組合せ形態を示す図である。
【図１３】図１に示されている木造家屋の外壁の下地材として構造用合板が用いられる様子を示す模式図である。
【図１４】窓が設けられた箇所における構造用合板の固定形態を示す模式図である。
【図１５】図１に示されている木造家屋で採用されている通柱の配置を、分かり易くするために４階建ての木造家屋を例に挙げて模式的に示す図である。
【発明を実施するための形態】
【００２５】
以下、本発明の一実施形態を説明する。
【００２６】
図１は、本発明の一実施形態にかかる木造家屋を示す模式図である。
【００２７】
図１に示されている木造家屋１は３階建ての家屋であり、図１には、１階の間取り図と、２階の梁伏図と、３階の小屋梁伏図と、が各々模式的に示されている。この木造家屋１は、梁材に軽量Ｈ形鋼が使われている。梁材には、後述する７種類の長梁の中から選択された第１の梁材１１と、７種類の短梁の中から選択された第２の梁材１２と、が用いられる。木造家屋１は、複数の第１の梁材１１及び第２の梁材１２が、通柱１３や管柱１４等といった木製の部材と組み合わされ、外壁の下地材に構造用合板１５が用いられて構成されている。
【００２８】
図２は、図１に示されている第１の梁材の選択元となる７種類の長梁と、第２の梁材の選択元となる７種類の短梁と、を表形式で示すリストである。
【００２９】
この図２のリストＴ１に示されているように、７種類の長梁及び７種類の短梁の双方とも、９１０ｍｍ〜１０００ｍｍの範囲における任意の長さ、具体的には尺貫法における半間（９１０ｍｍ）を基準長としたとき、当該基準長の１から７までの整数倍の長さそれぞれに応じた長さに形成されている。本実施形態においては、半間（９１０ｍｍ）から３間（５４６０ｍｍ）までの用途に、長梁０．５ＫＬ，・・・，３ＫＬ及び短梁０．５ＫＳ，・・・，３ＫＳが標準品として用意される。また、３．５間（６３７０ｍｍ）の用途に、長梁３．５ＫＬと短梁３．５ＫＳが特注品として適宜に用意される。これらの長梁０．５ＫＬ，・・・，３．５ＫＬ及び短梁０．５ＫＳ，・・・，３．５ＫＳの各長さは、上記の基準長の整数倍の長さに応じつつ、以下のような梁材の配置に基づいて決められる。
【００３０】
図３は、図２に示されている長梁及び短梁の長さ決定の規準とした梁材の配置を示す模式図である。また、図４は、軽量Ｈ形鋼を示す模式的な斜視図である。
【００３１】
図３には、２間（３６４０ｍｍ）の長梁２ＫＬと短梁２ＫＳ、及び３間（５４６０ｍｍ）の長梁３ＫＬと短梁３ＫＳ、とを例に挙げて、長さ決定の規準とした梁材の配置が示されている。この図３に示されているように、本実施形態では、長梁２ＫＬ，３ＫＬの長さが、他の梁材に固定される配置に基づいて決定されている。また、短梁２ＫＳ，２ＫＬの長さは通柱１３に固定される配置に基づいて決定されている。
【００３２】
図４に示されているように軽量Ｈ形鋼Ｈ１１は、２枚のフランジＨ１１１の間をウェブＨ１１２で繋いだ、断面Ｈ形の鋼材である。図３の例では、長梁２ＫＬが固定される２本の短梁３ＫＳは、各短梁３ＫＳの幅方向の中心（つまり、ウェブＨ１１２の中心）の相互間距離が２間（３６４０ｍｍ）となるように配置される。そして、長梁２ＫＬは、その端部が、各短梁３ＫＳに中央のウェブＨ１１２に達するまで設けられた切込み３ＫＳａに収まるように配置される。
【００３３】
本実施形態では、このような配置に基づいて、図２に示されている長梁０．５ＫＬ，・・・，３．５ＫＬの長さが、固定対象となる軽量Ｈ形鋼Ｈ１１のウェブＨ１１２と干渉しない長さに設定されている。即ち、７種類の長梁０．５ＫＬ，・・・，３．５ＫＬそれぞれが、上記の基準長の１から７までの整数倍の長さそれぞれよりも、軽量Ｈ形鋼Ｈ１１のウェブＨ１１２の厚みに応じた長さだけ短い長さに設定されている。本実施形態では、およそ３ｍｍのウェブＨ１１２の厚みに応じて、一例として２ｍｍ程度短い長さに設定されている。
【００３４】
また、本実施形態では、図３に示されている短梁２ＫＳと固定対象の通柱１３との位置関係に基づいて、図２に示されている短梁０．５ＫＳ，・・・，３．５ＫＳの長さが、通柱１３と干渉しない長さに設定されている。即ち、７種類の短梁０．５ＫＳ，・・・，３．５ＫＳそれぞれが、７種類の長梁０．５ＫＬ，・・・，３．５ＫＬそれぞれの長さよりも通柱１３の太さに応じた長さだけ短くなっている。図３には、通柱１３の太さに応じた短縮長が、通柱１３の断面矩形を囲む円形範囲の半径Ｒ１１で示されている。短梁０．５ＫＳ，・・・，３．５ＫＳは、通柱１３に固定されたときに、この半径Ｒ１１の円形範囲にかからない長さに設定されている。本実施形態では、１２０ｍｍ×１２０ｍｍの断面矩形状の通柱１３に対し、一例として半径Ｒ１１が９３ｍｍ程度の円形範囲にかからない長さに設定されている。
【００３５】
本実施形態では、図２のリストＴ１に示されている７種類の長梁０．５ＫＬ，・・・，３．５ＫＬや７種類の短梁０．５ＫＳ，・・・，３．５ＫＳが、工場で予め軽量Ｈ形鋼で形成されて用意される。そして、図１に示されているような間取り等に応じて、７種類の長梁０．５ＫＬ，・・・，３．５ＫＬから第１の梁材１１が選択され、７種類の短梁０．５ＫＳ，・・・，３．５ＫＳから第２の梁材１２が選択される。ここで、本実施形態では、梁材の選択手順が、７種類の短梁０．５ＫＳ，・・・，３．５ＫＳから第２の梁材１２を選択し、間取りにおけるそれ以外の箇所について、７種類の長梁０．５ＫＬ，・・・，３．５ＫＬから第１の梁材１１を選択する、という手順となる。そして、選択された第１の梁材１１、第２の梁材１２、及び木製の通柱１３や管柱１４等が組み合わされる。組合せは、長梁０．５ＫＬ，・・・，３．５ＫＬや短梁０．５ＫＳ，・・・，３．５ＫＳとともに予め用意される次のような金具を用いて行われる。以下に、幾つかの金具を例示して、上記部材の組合せ形態について説明する。
【００３６】
図５は、通柱と梁材とを組合せるために用いる第１金具を示す図であり、図６は、図５に示されている第１金具を用いた通柱と梁材との組合せ形態示す図である。
【００３７】
第１金具２１は、断面Ｃ字状のカバー部２１１と、カバー部２１１から３方に張出した３つの張出し部２１２と、を備え、ボルト孔２１３が複数個所に設けられた部材である。図６に示されているようにカバー部２１１が通柱１３に被せられてボルト２１４で固定される。そして、３つの張出し部２１２それぞれに上述した第１の梁材１１や第２の梁材１２がボルト２１４で固定される。上述した図３にも、この第１金具２１を用いて、通柱１３に、３本の短梁２ＫＳ，３ＫＳが組み合わされた形態が示されている。また、この図３には、第１金具２１の変形例として、カバー部２１１から張出し部２１２が２方に張り出した変形第１金具２１’も示されている。この変形第１金具２１’は、通柱１３に、第２の短梁２ＫＳ，３ＫＳを組み合わせている。
【００３８】
図７は、互いにＴ字形をなすように２本の部材を組合せるために用いる第２金具を示す図であり、図８は、図７に示されている第２金具を用いた２本の梁材の組合せ形態示す図である。
【００３９】
第２金具２２は、第１平板部２２１と、この第１平板部２２１の中央から張出した第２平板部２２２と、を備え、ボルト孔２２３が複数個所に設けられた部材である。図８の例では、７種類の長梁０．５ＫＬ，・・・，３．５ＫＬから選択された第１の梁材１１と、７種類の短梁０．５ＫＳ，・・・，３．５ＫＳから選択された第２の梁材１２と、が第２金具２２を用いて組み合わされている。第２金具２２の第１平板２２１が第２の梁材１２のウェブ１２１にボルト２２４で固定され、第２平板部２２２が第１の梁材１１のウェブ１１１にボルト２２４で固定される。
【００４０】
図９は、２本の部材を直線状に組合せるために用いる第３金具を示す図であり、図１０は、図９に示されている第３金具を用いた２本の梁材の組合せ形態示す図である。
【００４１】
第３金具２３は、矩形状の金属板にボルト孔２３１が複数個所設けられた部材である。図１０の例では、第１の梁材１１や第２の梁材１２が一対、互いにつき合わされた状態で組合わされている。一方の梁材に第３金具２３における一方の半分領域２３ａがボルト２３２で固定され、他方の梁材に他方の半分領域２３ｂがボルト２３２で固定される。
【００４２】
図１１は、梁材等のように横行配置された部材に管柱を立設したり、逆に、管柱の柱頭に梁材等の部材を横行配置したりして、互いに組合せるために用いる第４金具を示す図である。また、図１２は、図１１に示されている第４金具を用いて、梁材に管柱を立設した組合せ形態を示す図である。
【００４３】
第４金具２４は、断面Ｃ字状で複数個所にボルト孔２４４が設けられたカバー部２４１と、カバー部２４１の内側に収められる樹脂製又は木製のスペーサ２４２と、を備えている。カバー部２４１は、図１２に示されているように、スペーサ２４２を介して管柱１４の端部に被せられてボルト２４３で固定される。また、カバー部２４１は、第１の梁材１１や第２の梁材１２のフランジ１１２，１２２にボルト２４３で固定される。このようなボルト固定により、図１２の例では、第１の梁材１１や第２の梁材１２に管柱１４が立設されている。
【００４４】
本実施形態では、図５〜図１２に示した４種類の金具の他にも、木製の各種柱等を組合せるための金具等も用意されている。図１に示されている木造家屋１は、それら用意された金具の中から、適宜に必要なものが選択されて用いられ、第１の梁材１１、第２の梁材１２、及び木製の通柱１３や管柱１４等が組み合わされて構築される。
【００４５】
ここで、図１に示されている木造家屋１においては、第１の梁材１１及び第２の梁材１２のうち少なくとも一方を含み、外壁に沿って配置される構造に、外壁の下地材として構造を覆って延在するように以下に説明する構造用合板１５が固定されている。
【００４６】
図１３は、図１に示されている木造家屋の外壁の下地材として構造用合板が用いられる様子を示す模式図である。
【００４７】
この図１３の例では、構造用合板１５が固定される、木造家屋１の外壁近傍の構造として、第１の梁材１１や第２の梁材１２の他に、通柱１３、管柱１４、土台１６、筋交い１７等で構築された、外壁の内側構造が挙げられている。構造用合板１５は、複数枚数の単板を、繊維方向を交互に重ねて熱圧接着したもので、本実施形態では、更に単板の間に挟むようにして石こうボードを内蔵したものとなっている。
【００４８】
構造用合板１５は、各階ごとに上記の構造に固定される。この構造用合板１５の固定により、梁材１１や第２の梁材１２の他に、通柱１３、管柱１４、土台１６、筋交い１７等が一体化されることとなる。尚、この図１３の例は、窓が設けられていない箇所における構造用合板１５の固定形態について示したものであるが、窓が設けられた箇所においては次のように固定されることとなる。
【００４９】
図１４は、窓が設けられた箇所における構造用合板の固定形態を示す模式図である。
【００５０】
この図１４には、木造家屋１において、各階に設けられた窓１８の周辺における構造用合板１５の固定形態が例示されている。ここでの例では、１階における床下に相当する土台１６から窓１８の下端までの間に構造用合板１５が、この土台１６や第１の梁材１１や第２の梁材１２や通柱１３や管柱１４等で構築される、外壁の内側構造に２枚並べられて固定される。また、この１階の窓１８の上端から２階における床下を経由して２階の窓１８の下端まで間に構造用合板１５が、外壁の内側構造に２枚並べられて固定される。
【００５１】
また、本実施形態では、図１に示されている３階建ての木造家屋１の通柱１３の配置として、次のような配置が採用されている。
【００５２】
図１５は、図１に示されている木造家屋で採用されている通柱の配置を、分かり易くするために４階建ての木造家屋を例に挙げて模式的に示す図である。
【００５３】
この図１５に４階建ての木造家屋１’を例に挙げて示されているように、まず、通柱１３として、２階に相当する長さを有する柱が採用されている。そして、互いに異なる場所の少なくとも一対の通柱１３が、長さ方向Ｄ１１に半長分が重複して配置されている。図１５の例では、第１〜第５の通柱１３ａ，・・・，１３ｅのうち、１間（１８２０ｍｍ）離れて配置された第１の通柱１３ａと第２の通柱１３ｂが重複して配置されている。同様に、第２の通柱１３ｂと第３の通柱１３ｃが重複して配置されている。他方で、第１の通柱１３ａと第４の通柱１３ｄ、及び、第３の通柱１３ｃと第５の通柱１３ｅは、各々平行配置されており、第４の通柱１３ｄと第５の通柱１３ｅは、長さ方向Ｄ１１に連結配置されている。
【００５４】
図１に示されている木造家屋１は、このような通柱１３の配置が適宜に用いられて構築されたものとなっている。
【００５５】
以上に説明した本実施形態の木造家屋１では、一般に家屋において構造上の強度を左右する部材の一つである梁材が、軽量Ｈ形鋼という高強度の材料で形成される。そして、この梁材が、９１０ｍｍ〜１０００ｍｍの範囲における任意の長さ、具体的には多くの木造家屋において間取りの基準となる半間（９１０ｍｍ）を基準長とした７種類の長梁０．５ＫＬ，・・・，３．５ＫＬの中から選択された第１の梁材１１、及び、７種類の短梁０．５ＫＳ，・・・，３．５ＫＳの中から選択された第２の梁材１２となっている。従って、本実施形態の木造家屋１では、特に梁材について、予め製造された７種類の長梁０．５ＫＬ，・・・，３．５ＫＬ及び７種類の短梁０．５ＫＳ，・・・，３．５ＫＳそれぞれの中から、所望の間取りに応じた梁材を選択するだけでよく、様々な間取りに応じつつも手間を抑えて建築することができる。
【００５６】
尚、本実施形態では、本発明にいう基準長の一例として、尺貫法における半間（９１０ｍｍ）が例示されている。しかしながら、本発明にいう基準長は、これに限るものではなく、９１０ｍｍ〜１０００ｍｍの範囲における任意の長さであれば、例えば１０００ｍｍ等であってもよく、上記範囲内の具体的な長さを問うものではない。
【００５７】
また、本実施形態では、７種類の長梁０．５ＫＬ，・・・，３．５ＫＬそれぞれが、上記の基準長の１から７までの整数倍の長さそれぞれよりも、軽量Ｈ形鋼Ｈ１１のウェブＨ１１２の厚みに応じた長さだけ短くなっている。これにより、上記の基準長の１から７までの整数倍の長さを配列間隔として配列された他の梁材に、上記の長梁０．５ＫＬ，・・・，３．５ＫＬ、つまりは、上記の第１の梁材１１を良好に組み合わせて固定することができ、これにより更に手間を抑えて建築することができる。
【００５８】
また、本実施形態では、７種類の短梁０．５ＫＳ，・・・，３．５ＫＳそれぞれが、７種類の長梁０．５ＫＬ，・・・，３．５ＫＬそれぞれの長さよりも通柱１３の太さに応じた長さだけ短くなっている。これにより、上記の短梁０．５ＫＳ，・・・，３．５ＫＳ、つまりは、上記の第２の梁材１２を、良好に通柱１３に組み合わせて固定することができ、これにより更に手間を抑えて建築することができる。
【００５９】
また、本実施形態では、第１の梁材１１及び第２の梁材１２のうち少なくとも一方を含み、外壁に沿って配置される構造に、外壁の下地材としてその構造を覆って延在するように構造用合板１５が固定されている。これにより、上記の構造に構造用合板１５が固定されることで強力な外壁強度を得ることができ、そのような外壁強度に基づいて木造家屋１の高層化を図ることも可能となる。
【００６０】
また、本実施形態では、木造家屋１が、各階に窓１８が設けられた３階建ての家屋となっている。そして、構造用合板１５が、各階における床下から窓１８の下端まで、及び、当該窓１８の上端から上階における窓１８の下端まで、を覆っている。これにより、各階に窓１８を設けつつも、各階の外壁に構造用合板１５を用いることで強力な外壁強度を得ることができる。
【００６１】
また、本実施形態では、上記の構造用合板１５が、石こうボードを内蔵したものとなっている。これにより、構造用合板１５自体も強化されるので、一層強力な外壁強度を得ることができる。
【００６２】
また、本実施形態では、木造家屋１が、２階分に相当する長さを有する通柱１３を備え、互いに異なる場所の第１の通柱１３ａ及び第２の通柱１３ｂの組、第２の通柱１３ｂ及び第３の通柱１３ｃの組が、各々、長さ方向Ｄ１１に半長分が重複して配置されている。これにより、木造家屋１を３階建てとしつつも高い構造強度を得ることができる。
【００６３】
次に、ここまでの説明と一部が重複するが、上記の木造家屋１を建てる木造家屋建築方法について説明する。
【００６４】
この木造家屋建築方法は、梁材の選択工程と、木造家屋１の組立て工程と、を備える。選択工程は、図２に示されている７種類の長梁０．５ＫＬ，・・・，３．５ＫＬの中から家屋の間取りに応じて第１の梁材１１を選択し、７種類の短梁０．５ＫＳ，・・・，３．５ＫＳの中から第２の梁材１２を選択する工程である。ここで、本実施形態では、梁材の選択工程は、７種類の短梁０．５ＫＳ，・・・，３．５ＫＳから第２の梁材１２を選択し、間取りにおけるそれ以外の箇所について、７種類の長梁０．５ＫＬ，・・・，３．５ＫＬから第１の梁材１１を選択する、という手順で行われる。また、上述したように、７種類の長梁０．５ＫＬ，・・・，３．５ＫＬや７種類の短梁０．５ＫＳ，・・・，３．５ＫＳは、予め工場において形成し、ストックしておいたものを用いる。
【００６５】
組立て工程は、上記の選択工程で選択された第１の梁材１１及び第２の梁材１２を用いて木造家屋を組み立てる工程である。この組立て工程においては、第１の梁材１１及び第２の梁材１２の他にも、木製の通柱１３や管柱１４や構造用合板１５や土台１６や筋交い１７等の各種部材が用いられる。本実施形態では、これらの部材についても、予め工場で加工された複数サイズの通柱や管柱や構造用合板や土台や筋交い等の中から適宜に選択されて組立て工程に供される。また、この組立て工程では、図５〜図１２を参照して説明した各種金具も用いられることとなる。
【００６６】
以上に説明した木造家屋建築方法によれば、特に梁材について、予め製造された７種類の長梁０．５ＫＬ，・・・，３．５ＫＬ及び７種類の短梁０．５ＫＳ，・・・，３．５ＫＳそれぞれの中から、所望の間取りに応じた梁材を選択するだけでよい。これにより、様々な間取りに応じつつも手間を抑えて木造家屋を建築することができる。
【００６７】
尚、以上に説明した実施形態は代表的な形態を示したに過ぎず、この実施形態に限定されるものではない。即ち、骨子を逸脱しない範囲で上述した種々変形して実施することができる。かかる変形によってもなお上述の木造家屋、及び木造家屋建築方法における本質的な構成を具備する限り、勿論、範疇に含まれるものである。
【００６８】
例えば、上述した実施形態では、本発明にいう木造家屋の一例として、３階建ての木造家屋１が例示されている。しかしながら、本発明にいう木造家屋はこれに限るものではなく、その階数については任意に設定し得る。
【００６９】
また、上述した実施形態では、本発明にいう木造家屋の一例として、図１に示されている間取りを有する木造家屋１が例示されている。しかしながら、本発明にいう木造家屋はこれに限るものではなく、間取りについても任意に設定し得る。
【００７０】
また、上述した実施形態では、本発明にいう長梁や短梁の各一例として、図２に長さが示されている長梁０．５ＫＬ，・・・，３．５ＫＬや短梁０．５ＫＳ，・・・，３．５ＫＳが例示されている。しかしながら、本発明にいう長梁や短梁はこれらに限るものではない。本発明にいう長梁は、半間（９１０ｍｍ）を基準長としたとき、当該基準長の１から７までの整数倍の長さそれぞれに応じた長さを有するものであれば、その整数倍の長さからの差分については任意に設定し得る。また、本発明にいう短梁は、長梁の長さよりも所定長だけ短いものであれば、長梁の長さの差分については任意に設定し得る。
【００７１】
また、上述した実施形態では、本発明にいう「長さ方向に一部が重複して配置されている」一対の通柱の一例として、図１５に示されているように、半分長が重複した第１〜第３の通柱１３ａ，１３ｂ，１３ｃが例示されている。しかしながら、本発明にいう通柱はこれらに限るものではなく、重複する長さについては任意に設定し得る。
【符号の説明】
【００７２】
１，１’    木造家屋
１１  第１の梁材
１２  第２の梁材
１３  通柱
１３ａ  第１の通柱
１３ｂ  第２の通柱
１３ｃ  第３の通柱
１３ｄ  第４の通柱
１３ｅ  第５の通柱
１４  管柱
１５  構造用合板
１６  土台
１７  筋交い
１８  窓
２１  第１金具
２１’  変形第１金具
２２  第２金具
２３  第３金具
２４  第４金具
２３ａ，２３ｂ  半分領域
２１１，２４１  カバー部
２１２  張出し部
２１３，２２３，２３１，２４４  ボルト孔
２１４，２２４，２３２，２４３  ボルト
２２１  第１平板部
２２２  第２平板部
２４２  スペーサ
０．５ＫＬ，・・・，３．５ＫＬ  長梁
０．５ＫＳ，・・・，３．５ＫＳ  短梁
３ＫＳａ  切込み
Ｄ１１  長さ方向
Ｈ１１  軽量Ｈ形鋼
Ｈ１１１  フランジ
Ｈ１１２  ウェブ
Ｒ１１  円形範囲の半径
【図１】
2019138049.tif 000003
【図２】
2019138049.tif 000004
【図３】
2019138049.tif 000005
【図４】
2019138049.tif 000006
【図５】
2019138049.tif 000007
【図６】
2019138049.tif 000008
【図７】
2019138049.tif 000009
【図８】
2019138049.tif 000010
【図９】
2019138049.tif 000011
【図１０】
2019138049.tif 000012
【図１１】
2019138049.tif 000013
【図１２】
2019138049.tif 000014
【図１３】
2019138049.tif 000015
【図１４】
2019138049.tif 000016
【図１５】
2019138049.tif 000017